(57)【特許請求の範囲】
【請求項１】
親機マイクロホン（Ｍic）、親機スピーカー（Ｓp）、親機送信素子（Ｍ15）、親機受信素子（Ｍ16）を有する親機（Ｍ1）と、前記親機受信素子、前記親機送信素子と信号伝送される子機送信素子（Ｔ102）、子機受信素子（Ｔ101）、子機マイクロホン（Ｔ110）、子機スピーカ（Ｔ109）を有する子機（Ｔ1）とを備え、
前記親機は、下り搬送波（ｆ1）を発生する発振器（Ｍ17）と、前記親機マイクロホンからの音声信号（Ｓ11）を前記下り搬送波でＰＷＭ変調し前記親機送信素子へ送出するＰＷＭ変調回路（Ｍ11）と、前記下り搬送波と異なる副搬送波（ｆ2）を発生する搬送波発生器（Ｍ18）と、前記親機受信素子からの音声信号を前記副搬送波でＰＭ復調し前記親機スピーカへ送出するＰＭ復調回路（Ｍ12）とを有し、
前記子機スピーカは、前記子機受信素子からのＰＷＭ変調された音声信号（Ｓ12）が入力されＰＷＭ復調するローパスフィルタを構成し、
前記子機は、前記子機受信素子からのＰＷＭ変調された音声信号から前記下り搬送波を抽出し抽出された搬送波から前記副搬送波と同一周波数の上り搬送波（ｆ3）を発生する搬送波抽出回路（Ｔ105）と、前記子機マイクロホンからの音声信号を前記上り搬送波でＰＭ変調し前記子機送信素子へ送出するＰＭ変調回路（Ｔ106）とを有する特徴とするインターホン装置。
【発明の詳細な説明】
【０００１】
【産業上の利用分野】
本発明はインターホン装置に関し、特に、親機・子機間の音声信号伝送にＰＷＭ変復調方式とＰＭ変復調方式を用い回路を簡素化できるインターホン装置に係わる。
【０００２】
【従来の技術】
従来から、図２に示す親機Ｍ2、子機Ｔ2からなるコードレスインターホン装置が提案されている。
親機Ｍ2は、親機マイクロホンＭic1、親機スピーカーＳp1、ＦＭ変調回路Ｍ21、ＦＭ復調回路Ｍ22、Ｅ／Ｏ変換回路Ｍ23、Ｏ／Ｅ変換回路Ｍ24、ＬＥＤＭ25、ＰＤＭ26、発振回路Ｍ27、Ｍ28を有する。
【０００３】
子機Ｔ2は、ＰＤＴ201、ＬＥＤＴ202、Ｏ／Ｅ変換回路Ｔ203、Ｅ／Ｏ変換回路Ｔ204、ＦＭ復調回路Ｔ205、ＦＭ変調回路Ｔ206、アンプＴ207、Ｔ208、スピーカＴ209、マイクロホンＴ210、発振回路Ｔ211、Ｔ212を有する。
Ｓ21は親機Ｍ2への音声入力信号、Ｓ22は親機Ｍ2から子機Ｔ2へのＥ／Ｏ変換されたＦＭ変調信号、Ｓ23は復調された子機Ｔ2の音声出力信号、Ｓ24は子機Ｔ2への音声入力信号、Ｓ25は子機Ｔ2から親機Ｍ2へのＥ／Ｏ変換されたＦＭ変調信号、Ｓ26は復調された親機Ｍ2の音声出力信号である。なお、親機・子機相互の選局制御の回路は省略する。
【０００４】
このコードレスインターホン装置において、親機Ｍ2からは、親機マイクロホンＭic1の音声入力信号Ｓ21が入力され、ＦＭ変調回路Ｍ21で発振回路Ｍ27から送出される搬送波が音声入力信号Ｓ21でＦＭ変調され、Ｅ／Ｏ変換回路Ｍ23でＥ／Ｏ変換されてＬＥＤＭ25から赤外線のＦＭ変調信号Ｓ22として放射される。これを子機Ｔ2においてＰＤＴ201で検出し、Ｏ／Ｅ変換回路Ｔ203でＯ／Ｅ変換され、ＦＭ復調回路Ｔ205で発振回路Ｔ211の搬送波により復調され、アンプＴ207で増幅しスピーカＴ209から音声出力信号Ｓ23として出力される。
【０００５】
子機Ｔ2からは逆にマイクロホンＴ210で音声入力信号Ｓ24を検出し、アンプＴ208で増幅され、ＦＭ変調回路Ｔ206で発振回路Ｔ212から出力される搬送波を音声入力信号Ｓ24によりＦＭ変調し、Ｅ／Ｏ変換回路Ｔ204でＥ／Ｏ変換しＬＥＤＴ202からＦＭ変調信号Ｓ25が赤外線として放射される。これをＰＤＭ26で検出し、Ｏ／Ｅ変換回路Ｍ24でＯ／Ｅ変換され、ＦＭ復調回路Ｍ22で発振回路Ｍ28の搬送波により復調され、音声出力信号Ｓ26が親機スピーカーＳp1に出力される。
【０００６】
【発明が解決しようとする課題】
このコードレスインターホン装置では、親機、子機双方でキャリアを作る変調方式を用いているため、子機、親機双方で変復調に発振回路が必要となり回路が複雑になる。
本発明は、このような難点を解消するためになされたもので、変調方式にＰＷＭ変調方式とＰＭ変調方式を用い、ＰＷＭ変調波を子機側でキャリア抽出し、ＰＭ変調のキャリアとして利用することにより、子機側に発振回路を不要とし回路を簡素化できるインターホン装置を提供することを目的とする。
【０００７】
【課題を解決するための手段】
この目的を達成するため、本発明によるインターホン装置は、親機マイクロホン、親機スピーカー、親機送信素子、親機受信素子を有する親機と、親機受信素子、親機送信素子と信号伝送される子機送信素子、子機受信素子、子機マイクロホン、子機スピーカを有する子機とを備え、
親機は、下り搬送波を発生する発振器と、親機マイクロホンからの音声信号を下り搬送波でＰＷＭ変調し親機送信素子へ送出するＰＷＭ変調回路と、下り搬送波と異なる副搬送波を発生する搬送波発生器と、親機受信素子からの音声信号を副搬送波でＰＭ復調し親機スピーカへ送出するＰＭ復調回路とを有し、
子機スピーカは、子機受信素子からのＰＷＭ変調された音声信号が入力されＰＷＭ復調するローパスフィルタを構成し、
子機は、子機受信素子からのＰＷＭ変調された音声信号から下り搬送波を抽出し抽出された搬送波から副搬送波と同一周波数の上り搬送波を発生する搬送波抽出回路と、子機マイクロホンからの音声信号を上り搬送波でＰＭ変調し子機送信素子へ送出するＰＭ変調回路とを有する。
【０００８】
このコードレスインターホン装置において、親機は、発振器で下り搬送波を発生し、ＰＷＭ変調回路で親機マイクロホンからの音声信号を下り搬送波でＰＷＭ変調し親機送信素子へ送出する。搬送波発生器で下り搬送波と異なる副搬送波を発生させ、ＰＭ復調回路により親機受信素子からの音声信号を副搬送波でＰＭ復調し親機スピーカへ送出する。
【０００９】
子機スピーカは、ローパスフィルタを構成し子機受信素子からのＰＷＭ変調された音声信号が入力されＰＷＭ復調する。
子機は、搬送波抽出回路で子機受信素子からのＰＷＭ変調された音声信号から下り搬送波を抽出し抽出された搬送波から副搬送波と同一周波数の上り搬送波を発生させ、ＰＭ変調回路により子機マイクロホンからの音声信号を上り搬送波でＰＭ変調し子機送信素子へ送出する。このようにして親機・子機間の上り、下り音声信号は相互に伝送される。
【００１０】
【発明の実施の形態】
以下、本発明のインターホン装置をコードレスインターホン装置に適用した好ましい実施の形態例について図面を参照して詳述する。
図１において、本発明のコードレスインターホン装置は、相互に赤外線接続される親機Ｍ1と子機Ｔ1を備えている。
【００１１】
親機Ｍ1は、親機マイクロホンＭic、親機スピーカーＳp、親機送信素子としての親機発光ダイオードＭ15、親機受信素子としての親機ホトダイオードＭ16を有する。
子機Ｔ1は、親機ホトダイオードＭ16、親機発光ダイオードＭ15と伝送される赤外線の子機送信素子としての子機発光ダイオードＴ102、子機受信素子としての子機ホトダイオードＴ101、子機マイクロホンＴ110、子機スピーカＴ109を有する。
【００１２】
親機Ｍ1は、下り搬送波ｆ1を発生する発振器Ｍ17と、親機マイクロホンＭicからの音声入力信号Ｓ11を下り搬送波ｆ1でＰＷＭ変調しＥ／Ｏ変換回路Ｍ13でＥ／Ｏ変換して親機発光ダイオードＭ15へ送出するＰＷＭ変調回路Ｍ11と、下り搬送波ｆ1と異なる副搬送波ｆ2を発生する搬送波発生器Ｍ18と、親機ホトダイオードＭ16からの音声信号をＯ／Ｅ変換回路Ｍ14でＯ／Ｅ変換し副搬送波ｆ2でＰＭ復調して親機スピーカＳpへ送出するＰＭ復調回路Ｍ12とを有している。
【００１３】
副搬送波ｆ2は下り搬送波ｆ1と異なればよいので、搬送波発生器Ｍ18は発振回路Ｍ17の下り搬送波ｆ1の、例えば１／２分周回路として構成できるが、一般に副搬送波ｆ2は下り搬送波ｆ1の１／ｎ（ｎは０および１を除く実数）として表わされる。
子機スピーカＴ109は、子機ホトダイオードＴ101からのＰＷＭ変調された音声信号がアンプＴ107を介して入力されＰＷＭ復調するローパスフィルタを構成している。
【００１４】
子機Ｔ1は、子機ホトダイオードＴ101からのＰＷＭ変調されＯ／Ｅ変換回路Ｔ103でＯ／Ｅ変換された音声信号から下り搬送波ｆ1を抽出し抽出された搬送波から副搬送波ｆ2と同一周波数の上り搬送波ｆ3を発生する搬送波抽出回路Ｔ105と、子機マイクロホンＴ110からアンプＴ108を介して入力された音声信号を上り搬送波ｆ3でＰＭ変調しＥ／Ｏ変換回路Ｔ104を介して子機発光ダイオードＴ102へ送出するＰＭ変調回路Ｔ106とを有する。なお、親機・子機相互の選局制御の回路は省略する。
【００１５】
このように構成されたコードレスインターホン装置において、親機Ｍ1の親機マイクロホンＭicからの音声入力信号Ｓ11が発振器Ｍ17で発生された下り搬送波ｆ1をキャリアとしてＰＷＭ変調回路Ｍ11によりＰＷＭ変調され、Ｅ／Ｏ変換回路Ｍ13でＥ／Ｏ変換され親機発光ダイオードＭ15からＰＷＭ変調信号Ｓ12が赤外線として放射される。一方、搬送波発生器Ｍ18は下り搬送波ｆ1と異なる副搬送波ｆ2を発生する。
【００１６】
子機Ｔ1は、ＰＷＭ変調信号Ｓ12を子機ホトダイオードＴ101で検出し、Ｏ／Ｅ変換回路Ｔ103でＯ／Ｅ変換され、アンプＴ107で増幅され、ローパスフィルタを構成する子機スピーカＴ109でＰＷＭ変調された音声信号が復調され音声出力信号Ｓ13として出力される。
子機Ｔ1からは子機マイクロホンＴ110で音声入力信号Ｓ14を検出し、アンプＴ108で増幅される。一方、Ｏ／Ｅ変換された親機側からのＰＷＭ変調信号Ｓ12から搬送波抽出回路Ｔ105で下り搬送波ｆ1を抽出し、抽出された搬送波から副搬送波ｆ2と同一周波数の上り搬送波ｆ3を発生し、この上り搬送波ｆ3をキャリアとしてＰＭ変調回路Ｔ106で音声入力信号Ｓ14をＰＭ変調し、Ｅ／Ｏ変換回路Ｔ104でＥ／Ｏ変換され、子機発光ダイオードＴ102からＰＭ変調信号Ｓ15が赤外線として放射される。
【００１７】
親機Ｍ1は、これを親機ホトダイオードＭ16で検出し、Ｏ／Ｅ変換回路Ｍ14でＯ／Ｅ変換される。一方、搬送波発生器Ｍ18で下り搬送波ｆ1と異なる副搬送波ｆ2が生成され、これをキャリアとしてＰＭ復調回路Ｍ12で復調され、音声出力信号Ｓ16が親機スピーカーＳpに出力される。
なお、上記例では親機・子機間の伝送に赤外線を用いた場合について説明したが、超音波や電波であっても、上記の例と同様に適用できる。この場合、親機Ｍ1および子機Ｔ1の発光ダイオードは超音波や電波を送信する送信素子、ホトダイオードは超音波や電波を受信する受信素子、Ｅ／Ｏ変換回路は超音波や電波の送信器、Ｏ／Ｅ変換回路は超音波や電波の受信器に置換される。
【００１８】
また、上記例ではコードレスインターホン装置に適用した例について説明したが、本発明のインターホン装置は有線インターホン装置に使用することもでき同様の効果を呈するものである。
【００１９】
【発明の効果】
以上の説明からも明らかなように、本発明のインターホン装置によれば親機・子機間の音声信号伝送にあたって変調方式にＰＷＭ変調方式とＰＭ変調を用い、ＰＷＭ変調波を子機側でキャリア抽出し、ＰＭ変調のキャリアとして利用することにより、子機側に発振回路を不要とし子機側で回路を簡素化できる。
【図面の簡単な説明】
【図１】本発明のコードレスインターホン装置を示すブロック図。
【図２】従来のコードレスインターホン装置のブロック図。
【符号の説明】
Ｍ1・・・・・・親機
Ｍic・・・・・・親機マイクロホン
Ｓp・・・・・・親機スピーカー
Ｍ11・・・・・・ＰＷＭ変調回路
Ｍ12・・・・・・ＰＭ復調回路
Ｍ15・・・・・・親機発光ダイオード（親機送信素子）
Ｍ16・・・・・・親機ホトダイオード（親機受信素子）
Ｍ17・・・・・・発振器
Ｍ18・・・・・・搬送波発生器
Ｔ1・・・・・・子機
Ｔ101・・・・・・子機ホトダイオード（子機受信素子）
Ｔ102・・・・・・子機発光ダイオード（子機送信素子）
Ｔ105・・・・・・搬送波抽出回路
Ｔ106・・・・・・ＰＭ変調回路
Ｔ109・・・・・・子機スピーカ（ＰＷＭ復調回路）
Ｔ110・・・・・・子機マイクロホン
ｆ1・・・・・・下り搬送波
ｆ2・・・・・・副搬送波
ｆ3・・・・・・上り搬送波
Ｓ11、Ｓ12・・・・・・音声信号
【図１】
0003689166.tif 000002
【図２】
0003689166.tif 000003